(57)【特許請求の範囲】
【請求項１】
内部に塗布液収容部を形成した軸筒の先端開口部に塗布体を配置し、この塗布体と前記塗布液収容部との間に弁機構を配置し、弁機構前方の軸筒内の先端側を小径部、後端側を大径部となし、この小径部及び大径部を塗布液貯留部となしたノック式塗布具において、前記大径部内壁に、小径部と大径部との中継部から軸筒長手方向後方に延びるリブを設けると共に、前記小径部にもリブを設け、また、前記大径部のリブの内接円形を前記小径部よりも大きくすると共に、大径部のリブと小径部のリブを不連続としたことを特徴とするノック式塗布具。
【発明の詳細な説明】
【０００１】
【発明の属する技術分野】
本発明は、墨液、絵の具、インキなどの筆記液、アイライナー、リップカラーなどの化粧液、筆跡修正液、接着剤といった塗布液を内蔵したノック式塗布具に関する。
【０００２】
【従来の技術】
従来、内部に塗布液収容部を形成した軸筒の先端開口部にペン先などの塗布体を固定し、この塗布体と前記塗布液収容部との間に弁機構を配置し、弁機構前方の軸筒内の先端側を小径部、後端側を大径部となし、この小径部を塗布液貯留部となしたノック式塗布具が知られている。
【０００３】
【発明が解決しようとする課題】
上記のような塗布具において、塗布液はノックにより開放された弁機構を通じて塗布液収容部から大径部に吐出される。吐出された塗布液は、大径部内を移動して小径部に到達し、小径部内壁と塗布体との隙間で一時的に貯留された後、塗布体から吐出する。このとき、塗布液は塗布液収容部から吐出された勢いのまま小径部に到達するため、塗布液が塗布液収容部から勢い良く吐出された場合、塗布液が小径部内壁と塗布体との隙間で保持できずにボタ落ちしたり、大径部から小径部に移動するときに塗布液の層を形成して小径部の空気を押し出すため、軸筒先端開口部で泡が発生するなどの問題が生じる。本発明は、塗布液収容部の内圧変化などで塗布液が弁機構の前方に勢い良く供給されても塗布液のボタ落ちや泡が発生することのないノック式塗布具を提供することを課題とする。
【０００４】
【課題を解決するための手段】
本発明は、内部に塗布液収容部を形成した軸筒の先端開口部に塗布体を配置し、この塗布体と前記塗布液収容部との間に弁機構を配置し、弁機構前方の軸筒内の先端側を小径部、後端側を大径部となし、この小径部及び大径部を塗布液貯留部となしたノック式塗布具において、前記大径部内壁に、小径部と大径部との中継部から軸筒長手方向後方に延びるリブを設けると共に、前記小径部にもリブを設け、また、前記大径部のリブの内接円形を前記小径部よりも大きくすると共に、大径部のリブと小径部のリブを不連続としたことを特徴とするノック式塗布具を要旨とする。
【０００５】
【作用】
本発明に係るノック式塗布具において、塗布液は、ノック部材を押圧したとき時、弁体が前進して弁機構が開放されると共に大径部の塗布液貯留部に供給される。供給された塗布液は、大径部内壁に形成されたリブとリブとの間を通じて前方に移動し、大径部と小径部との中継部に到達する。このとき、塗布液は、リブとリブとの間で生じる毛管力によって保持され、また、大径部と小径部との中継部によって移動を妨げられるため、大径部に貯留される。さらに、塗布液収容部から吐出する塗布液の量が前記リブとリブとの隙間の保持力を越えると、塗布液は小径部側に移動し、小径部内壁と塗布体との隙間で一時的に貯留された後、塗布体から吐出する。このとき、塗布液は一度、大径部に貯留されるため、小径部に移動する速度は、大径部にリブがないときに比べて遅くなる。また、塗布液が塗布液収容部から勢い良く吐出された場合であっても、塗布液は大径部に一度貯留されるため、塗布液が大径部から小径部に移動する速度は、塗布液が塗布液収容部からゆっくり吐出された場合と比較して差がない。このように、本発明に係るノック式塗布具は、小径部の塗布液貯留部に異動する塗布液の速度が小さいので、塗布液のボタ落ちや泡の発生が抑制される。
【０００６】
【実施例】
図１乃至図２は、先行技術を示す参考図である。図１は、参考例の非ノック時の縦断面図であり、図２は参考例のノック時の要部拡大縦断面図である。参照符号１は、内部に塗布液収容部２を形成した後軸である。この後軸１の先端開口部には、前方（図１中上方向）が小径で後方が大径であり、大径部外壁に鍔部３ａを設けた前軸３が、前記鍔部３ａを後軸１先端端面に当接する位置まで挿入固定されている。
【０００７】
前軸３内には、前方側の小径部３ｂと後方側の大径部３ｃとが、中継部である段部３ｄを介して連接された貫通孔が形成されている。この大径部３ｃ内壁には、段部３ｄから軸長手方向後方に複数のリブ４が形成されている。
【０００８】
前記前軸３と前記塗布液収容部２との間には、弁機構を配置している。この弁機構は、座部５ａを形成してなる蓋体５と、後述する弾発部材によって後方に付勢されて、前記座部５ａに弾発的に当接する弁部６ａを形成している弁体６とよりなっている。
【０００９】
蓋体５は、前方の小径筒状部５ｂと後方の大径筒状部５ｃとよりなるものであり、この小径筒状部５ｂの内壁に、内方に向かう周状突起部５ｄを形成し、この周状突起部５ｄの前方側端面に前記座部５ａを形成している。この蓋体５は、小径筒状部５ｂが前記前軸３の大径部３ｃ内壁に圧入され、大径筒状部５ｃが後軸１の内壁に圧入され、後軸１内部に形成された塗布液収容部２の蓋体となっている。
【００１０】
弁体６は、前方の筒状部６ｂと、中間の弁部６ａと、後方棒状部６ｃとより構成されている。そして、弁体６の前方筒状部６ｂと弁部６ａとは、前記蓋体５の、小径筒状部５ｂ内に摺動自在に配置され、かつ、弁体６は、コイルバネなどの弾発部材７によって後方に付勢されている。
【００１１】
前記弁体６の前方には、大径孔部８ａと小径孔部８ｂとからなる筒状の筆穂固定管８が、前記前軸３内に小径孔部８ｂを前方にして摺動自在に配置されている。この筆穂固定管８は、前記大径部８ａの内側に、前記弁体６の前方筒状部６ｂを圧入する形で、弁体６と連接している。ただし、弁体６と筆穂固定管８との連接は、上記のような圧入に限定されるものではなく、螺合、嵌合、接着といった他の適宜手段によっても可能である。
【００１２】
前記筆穂固定管８の内部には、鼬、馬、豚などの天然繊維、ナイロン、ポリエチレンテレフタレート、アクリル系繊維などの合成樹脂製繊維、あるいは前記天然筆毛と合成樹脂製筆毛とを混ぜたものなどの繊維を多数、長手方向に収束し、一方に、端面を熱溶着や接着などの方法で固着して鍔部９ａを形成したストレート部９ｂ設け、他方に、端面に近づくほど外径が細くなるようなテーパー部９ｃを設けた筆穂９を、非固着端面を前方にして配置している。
【００１３】
この筆穂９は、前方部が前記前軸３の先端開口部から突出し、後端部の鍔部９ａが前記筆穂固定管８の大径孔部８ａと小径孔部８ｂとの境界の段部８ｃに当接し、その段部８ｃと前記弁体６の前端面とで挟着固定されている。
【００１４】
前記弁体６の後方棒状部６ｃは、前記後軸１内に設けた塗布液収容部２内に配置した筒状部材１０の前方部に挿入固定されている。この筒状部材１０は、その後方部を、前記塗布液収容部２後端に形成した筒状部２ａの外側に挿入固定した蛇腹状可動部材１１内に、前記筒状部２ａを貫通して挿入している。この蛇腹状可動部材１１にはノック冠１２が被冠され、ノック部を構成している。ただし、ノック部は、従来公知の方法を採用できるものであり、実施例に示す構造に限定されるものではない。
【００１５】
次に、参考例のノック式塗布具を使用する場合の作用について説明する。ノック部材後端部を押圧すると、蛇腹状可動部が収縮し、筒状部材が前方に移動する。この筒状部材の移動に伴って、弁体が弾発部材の弾発力に抗して前方に移動し、弁機構が開放される。弁機構が開放されると、塗布液収容部内の塗布液は、大径部の塗布液貯留部内に吐出され、前記大径部内壁に形成されたリブとリブとの間を、大径部と小径部との中継部である段部に突き当たるまで前方に移動する。このとき、前記リブとリブとの間に毛管作用による塗布液保持力が働くため、塗布液は大径部で一時的に貯留された後、前記小径部に移動することになる。次に、塗布液収容部から吐出された塗布液の量が前記リブとリブとの間の塗布液保持力を超えると、塗布液は塗布液貯留部の大径部と小径部との中継部を伝わって小径部の塗布液貯留部に到達し、前記小径部と塗布体との隙間に貯留した後、塗布体に浸透し紙面などに吐出される。ここで、塗布液が塗布液収容部から吐出する速度が、塗布液収容部と外部との温度差や気圧差によって早くなった場合であっても、塗布液は大径部の塗布液貯留部で一時的に貯留されるため、前記大径部から小径部に移動する速度は遅くなる。従って、塗布液のボタ落ちや、泡の発生が抑制される。
【００１６】
図３に実施例１を示す。実施例１は、上記参考において、前軸１０３の小径部１０３ｂ内壁に、小径部１０３ｂ全長にわたる長手方向のリブ１０４を設けた以外は実施例１と同様である。実施例２に係るノック式塗布具は、参考例のものに比較して、小径部に設けたリブとリブの間に生じる毛細管作用により、小径部内壁と塗布体との隙間の塗布液保持力が大きくなるため、塗布液がボタ落ちしにくいという効果が得られる。
【００１７】
図４に実施例２を示す。実施例２は、上記実施例１において、塗布体２０９として、アクリル繊維、ポリエステル繊維、ナイロン繊維、レーヨン繊維などの繊維収束体や、ウレタン系樹脂、ポリエステル系樹脂、セラミックなどの成形体を用い、小径部２０３ｂ内壁に形成したリブ２０４に圧入状態として固定し、前記塗布体２０９の後端部を塗布液貯留部の大径部２０３ｃまで挿入した以外は実施例１と同様である。本実施例２は、前記実施例１に比較して、以下のような効果を有する。塗布体後端部が塗布液貯留部の大径部まで挿入してあるので、塗布液は、塗布液貯留部の小径部だけでなく、塗布液貯留部の大径部からも塗布体に浸透するので、参考例よりも短い時間で塗布が可能になる。
【００１８】
【発明の効果】
本発明に係るノック式塗布具は、上記のような構成となしたので、使用時、塗布体と軸筒先端開口部との隙間からの泡の発生や塗布液のボタ落ちが起こりにくく、使用に際して、きわめて有用なものである。
【図面の簡単な説明】
【図１】  参考例の縦断面図。
【図２】  参考例の要部拡大縦断面図。
【図３】  実施例１の要部拡大縦断面図。
【図４】  実施例２の要部拡大縦断面図。
【符号の説明】
１  後軸
２  塗布液収容室
３  前軸
３ａ  鍔部
３ｂ  小径部
３ｃ  大径部
３ｄ  段部（中継部）
４  リブ
１０４  リブ
２０４  リブ
５  蓋体
５ａ  座部
６  弁体
６ａ  弁部
【図１】
0004471416.tif 000002
【図２】
0004471416.tif 000003
【図３】
0004471416.tif 000004
【図４】
0004471416.tif 000005